(57)【特許請求の範囲】
【請求項１】
複数のノズルの開口部から各々インクを吐出させて記録媒体上に画像を形成するインクジェット記録装置であって、
前記複数のノズルの開口部からインクを吐出させてインクの吐出不良の検出に係る所定のテスト画像を出力させる画像形成制御部と、
前記テスト画像を読み取る読取部と、
読み取られた前記テスト画像に基づいて前記開口部からの吐出不良の検出を行う解析部と、
前記吐出不良に係る不良ノズルの位置データを記憶する記憶部と、
を備え、
前記解析部は、形成対象の通常画像に応じて前記吐出不良の検出に係る判定基準レベルを変化させ、
前記記憶部は、複数の前記判定基準レベルごとにそれぞれ得られた前記不良ノズルの位置データを記憶し、
前記テスト画像は、所定濃度の画像であり、
前記解析部は、前記テスト画像の濃度ムラに基づいて、前記吐出不良の有無に係る判別を行い、
前記画像形成制御部は、前記解析部により前記テスト画像に基づいて前記吐出不良があると判別された場合には、当該吐出不良に係る不良ノズルを特定するための不良ノズル特定画像を出力させ、
前記解析部は、前記読取部によって読み取られた当該不良ノズル特定画像を解析して前記不良ノズルを特定し、出力させた前記不良ノズル特定画像において前記不良ノズルが特定されなかった場合、前記判定基準レベルを厳しい方向に変化させて前記テスト画像における前記吐出不良の有無を判断する
ことを特徴とするインクジェット記録装置。
【請求項２】
前記テスト画像は、ハーフトーン画像であることを特徴とする請求項１記載のインクジェット記録装置。
【請求項３】
前記画像形成制御部は、前記記録媒体上において前記通常画像が形成可能に設定された形成領域外に前記テスト画像を形成させることを特徴とする請求項１又は２記載のインクジェット記録装置。
【請求項４】
前記解析部は、前記通常画像に要求される画質に応じて前記判定基準レベルを変化させることを特徴とする請求項１〜３の何れか一項に記載のインクジェット記録装置。
【請求項５】
前記解析部は、前記通常画像の種別に応じて前記判定基準レベルを変化させることを特徴とする請求項１〜４の何れか一項に記載のインクジェット記録装置。
【請求項６】
前記通常画像の種別には、テキスト及びイメージが含まれることを特徴とする請求項５記載のインクジェット記録装置。
【請求項７】
前記解析部は、前記通常画像に係る濃度分布に応じて前記判定基準レベルを変化させることを特徴とする請求項１〜６の何れか一項に記載のインクジェット記録装置。
【請求項８】
前記解析部は、前記判定基準レベルの変化に応じて前記不良ノズルの特定基準レベルを変化させることを特徴とする請求項１〜７のいずれか一項に記載のインクジェット記録装置。
【請求項９】
前記画像形成制御部は、前記特定された不良ノズルのインク吐出範囲に係る所定の近接範囲内にあるノズルによるインクの吐出量及び吐出頻度のうち少なくとも何れか一方を調整して、前記不良ノズルの影響を補完しながら前記テスト画像を出力させることを特徴とする請求項１〜８の何れか一項に記載のインクジェット記録装置。
【請求項１０】
複数のノズルの開口部から各々インクを吐出させて記録媒体上に画像を形成するインクジェット記録装置における前記複数のノズルからのインク吐出不良の検出方法あって、
前記複数のノズルの開口部からインクを吐出させてインクの吐出不良の検出に係る所定のテスト画像を出力させる画像形成制御ステップ、
前記テスト画像を読み取る読取ステップ、
読み取られた前記テスト画像に基づいて前記開口部からの吐出不良の検出を行う解析ステップ、
前記吐出不良に係る不良ノズルの位置データを記憶する記憶ステップ、
を含み、
前記解析ステップでは、形成対象の通常画像に応じて前記吐出不良の検出に係る判定基準レベルを変化させ、
前記記憶ステップでは、複数の前記判定基準レベルごとにそれぞれ得られた前記不良ノズルの位置データを記憶し、
前記テスト画像は、所定濃度の画像であり、
前記解析ステップでは、前記テスト画像の濃度ムラに基づいて、前記吐出不良の有無に係る判別を行い、
前記画像形成制御ステップでは、前記解析ステップで前記テスト画像に基づいて前記吐出不良があると判別された場合には、当該吐出不良に係る不良ノズルを特定するための不良ノズル特定画像を出力させ、
前記解析ステップでは、前記読取ステップで読み取られた当該不良ノズル特定画像を解析して前記不良ノズルを特定し、出力させた前記不良ノズル特定画像において前記不良ノズルが特定されなかった場合、前記判定基準レベルを厳しい方向に変化させて前記テスト画像における前記吐出不良の有無を判断する
ことを特徴とするインク吐出不良の検出方法。
【発明の詳細な説明】
【技術分野】
【０００１】
この発明は、インクジェット記録装置及びインク吐出不良の検出方法に関する。
【背景技術】
【０００２】
記録媒体に対して複数個配列されたノズルの開口部からインクを吐出させることで、当該記録媒体上に画像を形成するインクジェット記録装置がある。このインクジェット記録装置では、ノズルの目詰まりなどにより、ノズル開口部からのインク吐出量が当初の値から減少して更には完全に吐出されなくなったり、或いは、吐出される方向が変化したりするといったインク吐出不良が生じ得る。
【０００３】
インクジェット記録装置では、このようなインク吐出不良が形成画像の質の低下に繋がる。そこで、従来、インクジェット記録装置では、定期的にノズル開口部からのインクの吐出状態の検査が行われている。このインクの吐出状態の検査には、記録媒体上に形成されたテスト画像を撮像し、当該撮像データを解析する方法のものがある。この方法では、従来、各ノズル開口部から各々別個にインクを吐出させて当該インクの吐出有無や濃度を調べることで、各ノズル開口部からのインク吐出不良を判定している。
【０００４】
また、インクジェット記録装置では、このような検査結果に基づき、インク吐出不良を生じている不良ノズルに隣接するノズル開口部からのインク吐出量を調整することにより、インク吐出不良による形成画像の質の低下を補う補完技術や、インク吐出面をクリーニングすることにより、乾燥したインクなどの目詰まりの原因を除去する技術がある。
【０００５】
しかしながら、形成される画像の内容や用途などに応じて、要求される画質のレベルは異なる。従って、毎回一律の厳しい基準で濃度ムラなどに対処するための処理を行わせることとすると、しばしば必要以上に修理やクリーニングの頻度が増加するという問題がある。
【０００６】
そこで、特許文献１には、出力対象画像などに応じて定められる信頼度に応じてインク吐出不良の検査頻度を変更する技術が開示されている。特許文献２には、インクの吐出不良を含む要因により生じる濃度ムラに対する対応レベルをユーザー設定によって変更することを可能とする技術が開示されている。
【０００７】
また、特許文献３には、インク吐出不良の検出動作や吐出不良ノズルの回復動作を自動で行わせるか否かをユーザーが設定可能とし、自動で行わせない設定の場合には、定期的にユーザーに対して検出動作や回復動作の実行可否を問い合わせる表示を行わせる技術について開示されている。特許文献４には、検出された吐出不良ノズルの数、配置や色種などの状況を視認性などに基づいて数値化し、この数値がユーザーにより予め設定された値以下の場合には、画像形成動作の中止や回復動作を行わせずにそのまま画像形成を継続させる技術について開示されている。
【先行技術文献】
【特許文献】
【０００８】
【特許文献１】特開２００９−２４８５４７号公報
【特許文献２】特開２００９−２４１５３６号公報
【特許文献３】特開２００９−１７２９３４号公報
【特許文献４】特開２００６−１４２８０７号公報
【発明の概要】
【発明が解決しようとする課題】
【０００９】
しかしながら、インク吐出不良は、徐々に進行していき、また、問題となるインク吐出不良のレベルも画像形成の方式や内容によって逐次変化し得るので、画像に係る検査頻度を低下させたくないという要求がある。また、一律の基準で各ノズルからの吐出不良を判定して他のノズルによる補完設定を行うと、軽微な吐出不良を含む不良ノズルが増えて却って補完設定後の画質が低下したり、更には補完設定が困難になったりするという問題が生じる。従って、適切な頻度及び適切な対応を可能とする基準で効率良くインク吐出不良の検査を行うことが出来ないという課題がある。
【００１０】
この発明の目的は、適切な頻度及び適切な対応を可能とする基準で効率良くインクの吐出不良を検出することの出来るインクジェット記録装置及びインク吐出不良の検出方法を提供することにある。
【課題を解決するための手段】
【００１１】
上記目的を達成するため、請求項１記載の発明は、
複数のノズルの開口部から各々インクを吐出させて記録媒体上に画像を形成するインクジェット記録装置であって、
前記複数のノズルの開口部からインクを吐出させてインクの吐出不良の検出に係る所定のテスト画像を出力させる画像形成制御部と、
前記テスト画像を読み取る読取部と、
読み取られた前記テスト画像に基づいて前記開口部からの吐出不良の検出を行う解析部と、
前記吐出不良に係る不良ノズルの位置データを記憶する記憶部と、
を備え、
前記解析部は、形成対象の通常画像に応じて前記吐出不良の検出に係る判定基準レベルを変化させ、
前記記憶部は、複数の前記判定基準レベルごとにそれぞれ得られた不良ノズルの位置データを記憶し、
前記テスト画像は、所定濃度の画像であり、
前記解析部は、前記テスト画像の濃度ムラに基づいて、前記吐出不良の有無に係る判別を行い、
前記画像形成制御部は、前記解析部により前記テスト画像に基づいて前記吐出不良があると判別された場合には、当該吐出不良に係る不良ノズルを特定するための不良ノズル特定画像を出力させ、
前記解析部は、前記読取部によって読み取られた当該不良ノズル特定画像を解析して前記不良ノズルを特定し、出力させた前記不良ノズル特定画像において前記不良ノズルが特定されなかった場合、前記判定基準レベルを厳しい方向に変化させて前記テスト画像における前記吐出不良の有無を判断する
ことを特徴としている。
【００１３】
請求項２記載の発明は、請求項１記載のインクジェット記録装置において、
前記テスト画像は、ハーフトーン画像であることを特徴としている。
【００１４】
請求項３記載の発明は、請求項１又は２記載のインクジェット記録装置において、
前記画像形成制御部は、前記記録媒体上において前記通常画像が形成可能に設定された形成領域外に前記テスト画像を形成させることを特徴としている。
【００１５】
請求項４記載の発明は、請求項１〜３の何れか一項に記載のインクジェット記録装置において、
前記解析部は、前記通常画像に要求される画質に応じて前記判定基準レベルを変化させることを特徴としている。
【００１６】
請求項５記載の発明は、請求項１〜４の何れか一項に記載のインクジェット記録装置において、
前記解析部は、前記通常画像の種別に応じて前記判定基準レベルを変化させることを特徴としている。
【００１７】
請求項６記載の発明は、請求項５記載のインクジェット記録装置において、
前記通常画像の種別には、テキスト及びイメージが含まれることを特徴としている。
【００１８】
請求項７記載の発明は、請求項１〜６の何れか一項に記載のインクジェット記録装置において、
前記解析部は、前記通常画像に係る濃度分布に応じて前記判定基準レベルを変化させることを特徴としている。
【００２０】
請求項８記載の発明は、請求項１〜７の何れか一項に記載のインクジェット記録装置において、
前記解析部は、前記判定基準レベルの変化に応じて前記不良ノズルの特定基準レベルを変化させることを特徴としている。
【００２２】
請求項９記載の発明は、請求項１〜８の何れか一項に記載のインクジェット記録装置において、
前記画像形成制御部は、前記特定された不良ノズルのインク吐出範囲に係る所定の近接範囲内にあるノズルによるインクの吐出量及び吐出頻度のうち少なくとも何れか一方を調整して、前記不良ノズルの影響を補完しながら前記テスト画像を出力させることを特徴としている。
【００２３】
請求項１０記載の発明は、
複数のノズルの開口部から各々インクを吐出させて記録媒体上に画像を形成するインクジェット記録装置における前記複数のノズルからのインク吐出不良の検出方法あって、
前記複数のノズルの開口部からインクを吐出させてインクの吐出不良の検出に係る所定のテスト画像を出力させる画像形成制御ステップ、
前記テスト画像を読み取る読取ステップ、
読み取られた前記テスト画像に基づいて前記開口部からの吐出不良の検出を行う解析ステップ、
前記吐出不良に係る不良ノズルの位置データを記憶する記憶ステップ、
を含み、
前記解析ステップでは、形成対象の通常画像に応じて前記吐出不良の検出に係る判定基準レベルを変化させ、
前記記憶ステップでは、複数の前記判定基準レベルごとにそれぞれ得られた前記不良ノズルの位置データを記憶し、
前記テスト画像は、所定濃度の画像であり、
前記解析ステップでは、前記テスト画像の濃度ムラに基づいて、前記吐出不良の有無に係る判別を行い、
前記画像形成制御ステップでは、前記解析ステップで前記テスト画像に基づいて前記吐出不良があると判別された場合には、当該吐出不良に係る不良ノズルを特定するための不良ノズル特定画像を出力させ、
前記解析ステップでは、前記読取ステップで読み取られた当該不良ノズル特定画像を解析して前記不良ノズルを特定し、出力させた前記不良ノズル特定画像において前記不良ノズルが特定されなかった場合、前記判定基準レベルを厳しい方向に変化させて前記テスト画像における前記吐出不良の有無を判断する
ことを特徴としている。
【発明の効果】
【００２４】
本発明に従うと、インクジェット記録装置及びインク吐出不良の検出方法において、適切な頻度及び適切な対応を可能とする基準で効率良くインクの吐出不良を検出することが出来るという効果がある。
【図面の簡単な説明】
【００２５】
【図１】本発明の実施形態のインクジェット記録装置の全体構成を示す図である。
【図２】インクジェット記録装置の内部構成を説明するブロック図である。
【図３】インクジェットヘッドの記録媒体との対向面を示す底面図である。
【図４】画像形成処理の制御手順を示すフローチャートである。
【図５】吐出不良検出動作に係るテスト画像が含まれる形成画像の例を示す図である。
【図６】補正設定処理の制御手順を示すフローチャートである。
【図７】欠位置特定チャートの形成画像の例を示す図である。
【図８】通常の画像と欠変化チャートの位置関係の例を示す図である。
【図９】補正設定処理の制御手順を示すフローチャートの変形例である。
【図１０】インクジェット記録装置において設定される基準レベルの例を示す図である。
【発明を実施するための形態】
【００２６】
以下、本発明の実施の形態を図面に基づいて説明する。
図１は、本実施形態のインクジェット記録装置１００の全体構成を示す図である。また、図２は、インクジェット記録装置１００の内部構成を説明するブロック図である。
【００２７】
このインクジェット記録装置１００は、搬送部１１と、インクジェットヘッド１２と、画像読取部１３（読取部）と、制御部１４（画像形成制御部、解析部）と、操作表示部１５などを備える。
【００２８】
搬送部１１は、搬送ベルト１１２と、搬送ベルト１１２を周回移動させる搬送モーター１１１などを備える。搬送ベルト１１２上に配置された記録媒体Ｐは、搬送モーター１１１の回転動作により所定の搬送方向に移動する。或いは、搬送部１１は、円筒状の搬送ドラムを回転させることで、当該搬送ドラムの表面に配置された記録媒体Ｐを回転方向に移動させる構成であっても良い。
【００２９】
インクジェットヘッド１２は、記録媒体Ｐの搬送面に対向して開口部が配列された複数のノズルと、駆動回路１２１と、インク吐出部１２２とを有する。インクジェットヘッド１２では、制御部１４からの制御信号に基づいて駆動回路１２１から出力される駆動電圧によりインク吐出部１２２が動作することで、複数のノズルの開口部からタイミング制御されてインクが吐出される。この吐出されたインクが搬送される記録媒体Ｐ上に着弾して画像が形成される。このインクジェットヘッド１２は、特には限られないが、ここでは、ラインヘッドであり、搬送方向に垂直な幅方向に対し、記録媒体Ｐの画像形成可能な幅に亘ってインクを吐出可能にノズルが配列されている。また、この複数のノズルは、例えば、Ｙ（イエロー）、Ｍ（マジェンタ）、Ｃ（シアン）、Ｋ（ブラック）の４色のインクをそれぞれ独立に吐出可能に設けられている。
【００３０】
図３は、インクジェットヘッド１２における記録媒体Ｐとの対向面（底面）を示す底面図である。
このインクジェットヘッド１２には、複数のヘッドモジュール１２０が幅方向に千鳥配置で配列されている。これらのヘッドモジュール１２０には、それぞれ複数のノズルが配列されており、各々幅方向端部に設けられたノズルは、他のヘッドモジュール１２０の幅方向端部に設けられたノズルと幅方向の位置が重複するように配置されている。このような配置により、全体として幅方向に切れ目無くインクが吐出可能となっている。各色のインクを吐出するノズルは、例えば、幅方向に１２００ｄｐｉ（dot per inch）でそれぞれ配列されており、即ち、隣接するノズルの幅方向の間隔（ピッチ）は、約２１μｍである。一つのノズルから吐出されるインクの液滴が記録媒体Ｐに着弾することによって形成されるドット（着弾範囲）の大きさ（直径）は、ここでは、約６０μｍである。即ち、隣接するノズルから吐出されるインクの記録媒体Ｐ上における着弾範囲は、互いに重複する。
【００３１】
画像読取部１３は、記録媒体Ｐの搬送方向についてインクジェットヘッド１２の下流側に配置されて当該インクジェットヘッド１２で形成された画像を撮像する（読み取る）イメージセンサー１３１を有する。
このイメージセンサー１３１は、例えば、光電変換を用いた撮像素子であるＣＣＤ（Charge Coupled Device）やＣＭＯＳセンサーが記録媒体Ｐの幅方向に亘り複数個配列されて一次元画像が取得されるラインセンサーである。また、カラー（ＣＭＹＫ）出力可能なインクジェットヘッド１２に対応し、形成画像を複数の波長成分ごと、例えば、Ｒ（レッド）、Ｇ（グリーン）、Ｂ（ブルー）の３波長でそれぞれ読み取り可能となっている。
このイメージセンサー１３１の各撮像素子による読み取り解像度（画素配列）は、例えば、幅方向に６００ｄｐｉである。また、イメージセンサー１３１は、このインクジェット記録装置１００における通常の記録媒体Ｐの搬送速度に対して搬送方向に３００ｄｐｉでの読取データを制御部１４に出力可能となっている。即ち、このイメージセンサー１３１は、ノズルの配列に対応する解像度で画像を取得するものではない。
【００３２】
制御部１４は、図２に示すように、メモリー１４１、ＣＰＵ（Central Processing Unit）１４２、ＲＯＭ（Read Only Memory）１４３、ＲＡＭ（Random Access Memory）１４４などを備え、これらがそれぞれバス１４５に接続されて、インクジェット記録装置１００の各部の間で信号のやり取りが可能に構成されている。また、制御部１４は、通信部１６を介して外部のプリントサーバーやパーソナルコンピューター（ＰＣ）といった電子計算機や記憶デバイスと接続され、プリントジョブや画像形成対象の画像データなどの送受信を行う。
【００３３】
メモリー１４１は、外部のコンピューターや記憶デバイスから入力された画像形成対象の画像データを一時的に記憶する。また、メモリー１４１に記憶されるデータには、インクジェットヘッド１２の複数のノズルのうち検査によりインク吐出不良を生じていると同定されたノズル（不良ノズル）の位置データ及びその補完設定がテーブル記憶された不良ノズル記憶部１４１ａが含まれている。この不良ノズルに係る補完設定は、後述するようにインク吐出不良の判断基準レベルに応じて各々別個に定められて記憶されている。メモリーは、ＲＡＭと不揮発性メモリーとの組合せで構成され、不良ノズル記憶部１４１ａといったインクジェット記録装置１００の電源状態によらず保持されるものについては、不揮発性メモリーに記憶される。
【００３４】
ＣＰＵ１４２は、インクジェット記録装置１００の全体動作を統括制御し、各種演算処理を行う。ＣＰＵ１４２は、ＲＯＭ１４３から読み出されたプログラムに従って搬送部１１、インクジェットヘッド１２及び画像読取部１３に制御信号を出力し、画像形成に係る各種処理を行う。ここで、このＣＰＵ１４２は、１つのプロセッサーを備えて集中的に制御動作を行うこととしても良いし、搬送部１１による記録媒体Ｐの搬送制御やインクジェットヘッド１２の駆動制御といった各種制御処理にそれぞれ特化した個別のプロセッサーを備えるものであっても良い。
【００３５】
ＲＯＭ１４３には、画像形成に係る制御プログラムや初期設定データが格納されている。インクジェット記録装置１００の動作時には、ＣＰＵ１４２が制御プログラムを読み出してＲＡＭ１４４上で実行したり、初期設定データを参照したりする。この初期設定データには、ノズル検査や調整の内容に応じたテスト画像データ１４３ａが含まれる。
【００３６】
ＲＡＭ１４４は、ＣＰＵ１４２に作業用のメモリー空間を提供し、一時データを記憶する。また、イメージセンサー１３１により撮像された検査用画像のデータは、ＲＡＭ１４４に一時記憶されて、当該撮影されたテストチャートに対応する検査、例えば、インク吐出不良に係るノズルの検出に用いられる。
【００３７】
操作表示部１５は、ＣＰＵ１４２からの制御信号に応じた表示を行わせる表示パネルと、外部からの入力操作を受け付ける操作キーとを備える。表示パネルは、特に限られないが、例えば、液晶ディスプレイ（ＬＣＤ）である。また、操作キーの代わりに、或いは、操作キーと共に、ＬＣＤの表示画面に積層配置されたタッチパネルを備えることで、表示と入力操作の受付とを併用する構成であっても良い。
【００３８】
次に、本実施形態のインクジェット記録装置１００における画像形成動作について説明する。
本実施形態のインクジェット記録装置１００では、画像形成の際に複数の画質レベルの中から何れかが選択されて画像の形成が行われる。このとき、当該画質レベルに応じて、不良ノズルの設定と当該不良ノズルに対する補完設定がなされる。
【００３９】
図４は、本実施形態のインクジェット記録装置１００で実行される画像形成処理の制御部１４による制御手順を示すフローチャートである。
この画像形成処理は、画像形成に係るプリントジョブが取得されることで開始される。
【００４０】
画像形成処理が開始されると、制御部１４は、プリントジョブから要求画質や画像形成枚数などのプロパティ情報を取得する（ステップＳ１）。制御部１４は、取得された要求画質に応じた補完設定を不良ノズル記憶部１４１ａから取得する（ステップＳ２）。制御部１４は、このとき必要に応じて形成対象の画像（通常の画像）に対して各種処理、例えば、シェーディング補正などを行う。
【００４１】
制御部１４は、通常の画像とテスト画像を併せて記録媒体Ｐに形成する（ステップＳ３）。制御部１４は、画像読取部１３に制御信号を送り、イメージセンサー１３１によりテスト画像の読み取り（撮像）を行わせ、当該読み取られたテスト画像の画像データを取得する（ステップＳ４）。
【００４２】
制御部１４は、後述する補正設定処理を呼び出して実行する（ステップＳ５）。制御部１４は、取得されている画像形成枚数の形成が終了したか否かを判別し（ステップＳ６）、終了していないと判別された場合には（ステップＳ６で“ＮＯ”）、制御部１４の処理は、ステップＳ３に戻る。終了したと判別された場合には（ステップＳ６で“ＹＥＳ”）、制御部１４は、画像形成処理を終了する。
【００４３】
次に、本実施形態のインクジェット記録装置１００におけるノズルのインク吐出不良検査の動作内容について説明する。
本実施形態のインク吐出不良検査では、先ず、通常の画像形成に並行してインク吐出不良の有無を検出する吐出不良検出動作が行われ、インク吐出不良が検出された場合に必要に応じて、インク吐出不良を起こしているノズルを特定する不良ノズル特定動作が行われる。
【００４４】
図５は、本実施形態の吐出不良検出動作に係るテスト画像が含まれる形成画像の例を示す図である。
【００４５】
図５（ａ）に示すように、プリントジョブに係る形成対象の画像（通常の画像Ｆ）を形成する範囲として設定された領域（通常画像が形成可能に設定された形成領域）の先端及び末尾には、通常、余白領域（通常画像の形成領域外）が設けられる。そして、これらの余白領域のうち何れか、ここでは、末尾の余白領域にＣＭＹＫ各色のインクについてそれぞれインク吐出不良の有無に係る検査を行うためのテスト画像である欠変化チャートＣ２１〜Ｃ２４が形成される。これらの欠変化チャートＣ２１〜Ｃ２４は、濃淡の判別が出来れば良いので、インクジェットヘッド１２における各色のインクを吐出するノズルが配置された幅に対応して各々幅方向に帯状に形成される。
【００４６】
図５（ｂ）には、図５（ａ）におけるテスト画像の一部を拡大して示す。
この欠変化チャートＣ２１〜Ｃ２４のテスト画像には、各色のインクでそれぞれ所定濃度（階調）のハーフトーン画像が用いられる。このハーフトーンの階調は、ノズル欠により濃度の変化が大きく生じやすい値、例えば、３０％に設定される。ハーフトーン画像は、ディザ法や誤差拡散法などの様々な周知の手法を適用して生成可能である。
【００４７】
ハーフトーン画像に係るインクの吐出有無は、このハーフトーン画像の搬送方向における濃度の積算値に基づいて定められる。このようにすることで、面積で階調を表現するハーフトーンパターンの情報と濃度情報とをほぼ同等の情報として捉えることが出来る。これらの欠変化チャートのデータは、ＲＯＭ１４３のテスト画像データ１４３ａから読み出され、各ノズルからハーフトーンパターンで指定される位置にインクが順番に吐出されてハーフトーン画像が形成される。また、このハーフトーンパターンとしては、理想的には、既に検出されている吐出不良ノズルに係る公知のノズル欠補正やシェーディング補正などが施されているものが好ましい。これにより、後述するイメージセンサー１３１は、ノズル欠損の情報や液量のばらつきの情報などを考慮せずに、新たにインク吐出不良を起こしているノズルがあるか否かを判別することが出来る。
即ち、インクジェット記録装置１００では、印刷する画像データの階調値が同じであっても各ノズルから吐出される液適量にばらつきが生じる。ノズルごとの吐出量のばらつきは、形成画像の濃度にばらつきを生じさせる。この濃度のばらつきをなくすために、各ノズルに対して濃度を均一化する補正であるシェーディング補正が実施される。具体的には、ノズルごとのばらつきに応じてノズルからのインク吐出量を調整する。
【００４８】
インクジェット記録装置１００では、このハーフトーン画像から、吐出された個々のインク液滴によるドットではなく、イメージセンサー１３１により判別可能な各読取領域（読取範囲）における濃度の代表的な値を求める。そして、これら読取領域間での濃淡が検出されて、各読取領域にインク吐出不良を起こしているノズルがあるか否かを判別する。このとき、インク吐出不良の検出では、今回の画像における各読取領域の濃度と、前回の吐出不良検出動作に係る画像における各読取領域の濃度との差分を取ることとしても良い。
【００４９】
本実施形態の欠変化チャートＣ２１〜Ｃ２４を用いたハーフトーン画像の解析では、イメージセンサー１３１で撮影されたテスト画像の各画素値が各読取領域で積分、平均化された階調値と、背景値としてメディアンフィルターを用いて当該読取領域より広い範囲で取得された値とを比較する。このメディアンフィルターでは、解析対象の読取領域を中心として幅方向に所定数の読取領域で得られた階調値のメディアン（中央値）を取得する。そして、本実施形態の解析では、各画素列の階調値が背景値よりも所定の基準値以上小さい場合に、当該画素が含まれる領域にノズル欠けが生じていると判断する。ここでいうノズル欠けには、インクが全く吐出されなくなっている状態だけでなく、インク吐出量が大きく減少している状態や、インク吐出方向が変化している状態も含まれる。
【００５０】
背景値としてメディアンを求めるための読取領域数（タップ数）は、適宜定められる。タップ数が大きくなるに従ってメディアンの精度が上がり、より確実にノズル欠けが検出可能となる一方で、計算時間が増大する。従って、タップ数は、記録媒体Ｐの搬送速度、読取データの転送速度やＣＰＵ１４２の計算速度や負荷などに応じて可能な範囲で精度が良くなるように設定される。ここでは、例えば、タップ数として２０が設定される。
【００５１】
なお、背景値を求めるためのノイズ除去フィルターとしては、メディアンフィルターに限られない。メディアンフィルターは、一般的に、一ノズル欠けのような局所的な大きな変化の検出が精度良く行われるが、他のフィルター、例えば、移動平均値や空間周波数フィルター（低域通過フィルターなど）を用いても検出を行うことが可能である。
【００５２】
このインクジェット記録装置１００では、ノズル欠けが生じているか否かを判断するための基準値（判定基準レベル）を所定の複数ステップの中で変更可能となっている。ここでは、基準値の変更は、通常の画像Ｆに要求されている画質に応じて行われる。要求画質は、特には限られないが、ユーザーにより予め設定された画像形成のプロパティなどに基づいて取得される。例えば、要求画質レベルが「きれい」、「高精細」などの場合には、判定基準レベルが厳しく（基準値が小さく）設定され、画像形成のプロパティが「画像出力を速く」、要求画質レベルが「低精細」などの場合には、判定基準レベルが緩く（基準値が大きく）設定される。
【００５３】
このように基準値を変更すると、基準値の大小によって不良ノズルと判定されたり判定されなかったりするノズルが存在し得る。そこで、上述のように不良ノズル記憶部１４１ａには、色ごと及び基準値のステップごとにそれぞれ不良ノズルの位置データと補完設定データとが記憶される。基準値が異なるステップに切り替えられた場合には、当該基準値に対応した補完設定に基づいて通常の画像Ｆと欠変化チャートＣ２１〜Ｃ２４との画像形成が行われることになる。
【００５４】
図６は、本実施形態の制御部１４により画像形成処理で呼び出されて実行される補正設定処理の制御手順を示すフローチャートである。
【００５５】
この補正設定処理は、特定された不良ノズルが吐出するはずのインク吐出量を他のノズルからの吐出で補完するための設定を行う処理であり、各記録媒体Ｐに通常の画像Ｆが形成されるごとに画像形成処理内で呼び出されて毎回自動的に実行される。
【００５６】
補正設定処理が開始されると、先ず、制御部１４（ＣＰＵ）は、欠変化チャートＣ２１〜Ｃ２４に係るハーフトーン画像の不良検出がなされていない状態であるか否かを判別する（ステップＳ１１）。ハーフトーン画像の不良検出がなされていない状態である、即ち、前回までの補正設定処理でインク吐出不良の検出がなされていない又は検出されたインク吐出不良部分に対する補完設定が既に行われていると判別された場合には（ステップＳ１１で“ＹＥＳ”）、制御部１４は、今回の欠変化チャートＣ２１〜Ｃ２４と共に出力された通常の画像Ｆに要求される画質を判定する（ステップＳ１２）。制御部１４は、判定された画質に応じて、不良検出の判定基準レベルを設定する（ステップＳ１３）。
【００５７】
制御部１４は、今回取得されたハーフトーン画像を解析してインク吐出不良の検出を行う（ステップＳ１４）。制御部１４は、設定されている判定基準レベル（基準値）に基づいてインク吐出不良が検出されたか否かを判別する（ステップＳ１５）。インク吐出不良が検出されなかったと判別された場合には（ステップＳ１５で“ＮＯ”）、制御部１４は、補正設定処理を終了する。インク吐出不良が検出されたと判別された場合には（ステップＳ１５で“ＹＥＳ”）、制御部１４は、欠位置特定チャート（不良ノズル特定画像）を出力する命令を行う（ステップＳ１６）。そして、制御部１４は、補正設定処理を終了する。
【００５８】
一方、ステップＳ１１の判別処理で、ハーフトーン画像の不良検出がなされていない状態ではない、即ち、前回までの補正設定処理でインク吐出不良が検出されて未だ補完設定がなされていないと判別された場合には（ステップＳ１１で“ＮＯ”）、制御部１４は、ステップＳ１６の処理で出力された命令に基づいて画像形成がなされた欠位置特定チャートのイメージセンサー１３１による撮像データを読み込む（ステップＳ２２）。
【００５９】
図７は、欠位置特定チャートＬの形成画像の例を示す図である。
この欠位置特定チャートＬは、ノズル毎に吐出されるインクの記録媒体Ｐ上における着弾位置が各々分離されるように梯子状や格子状などにインクを吐出させたテスト画像であり、図７（ａ）には、その一部を示す。ここでは、搬送方向に伸びる各線がそれぞれ異なるノズルからのインク着弾位置を示す。これら各線の濃度や形成位置により、インクの不吐出や吐出量の減少（弱出射）に伴う基準値以上の濃度ずれ、及び／又はインクの吐出方向の曲がりに伴う着弾位置の基準値以上のずれといったドット欠けの生じた位置が特定される。
【００６０】
欠位置特定チャートＬは、テスト画像データ１４３ａに含まれて予め設定記憶されている。また、このときに形成させる欠位置特定チャートＬは、全てのノズルに対するものではなく、不良検出がなされた領域に対するものだけであっても良い。濃度ずれや着弾位置ずれの判定に係る基準値を以降まとめて特定基準レベルと記す。
【００６１】
制御部１４は、ステップＳ１３の処理で設定されている不良検出の判定基準レベルに応じて不良ノズルの特定基準レベルの設定を行う（ステップＳ２３）。制御部１４は、判定基準レベルが厳しい場合には、特定基準レベルも厳しくし、判定基準レベルが緩い場合には、特定基準レベルも緩くする。制御部１４は、読み込まれた欠位置特定チャートＬの撮像データを解析して、設定された特定基準レベルに基づいてドット欠け位置を特定する（ステップＳ２４）。また、制御部１４は、このドット欠け位置からインク吐出不良を起こしている不良ノズル（ノズル欠けの位置）を同定する。
【００６２】
例えば、図７（ｂ）に示すように、破線で示した正常な吐出位置ｉ１〜ｉ４に対して着弾位置の基準値（幅ｗの半分）が設定されている場合に、それぞれ実線で示した着弾位置ｒ１〜ｒ４にインクが着弾したとすると、正常な吐出位置ｉ１、ｉ３からの実際の着弾位置ｒ１、ｒ３のずれ量ｄ１、ｄ３は、基準値以下であり、正常な吐出と判断される。一方、正常な吐出位置ｉ２、ｉ４からの着弾位置ｒ２、ｒ４のずれ量ｄ２、ｄ４は、基準値以上であり、正常な吐出位置ｉ２、ｉ４にドット欠けが生じ、これら吐出位置ｉ２、ｉ４にそれぞれ対応するノズルが不良ノズルであると判断される。
【００６３】
なお、不良ノズルの同定は、一回の欠位置特定チャートＬでのみ決定せずに、複数回の欠位置特定チャートで同定された結果を組み合わせて決定しても良い。例えば、過去１０回の欠位置特定チャートで一回でも同定された不良ノズルを全て不良ノズルとしても良い。
【００６４】
制御部１４は、ドット欠け位置（不良ノズル）の特定に成功したか否かを判別する（ステップＳ２５）。ドット欠け位置の特定に成功していないと判別された場合には（ステップＳ２５で“ＮＯ”）、制御部１４は、ステップＳ１３により設定される不良検出の判定基準レベルを次回以降上昇させる（厳しくする）設定を行う（ステップＳ２７）。これにより、毎回ハーフトーン画像において不良検出がなされるにも拘らず当該不良検出の原因となる不良ノズルが特定されずに欠位置特定チャートＬが繰返し出力されるのを防ぐ。そして、制御部１４は、補正設定処理を終了して処理を画像形成処理に戻す。
【００６５】
ドット欠け位置の特定に成功したと判別された場合には（ステップＳ２５で“ＹＥＳ”）、制御部１４は、特定されたドット欠位置に応じたインク吐出の補完に係る補正設定を行う（ステップＳ２６）。制御部１４は、不良ノズルに近接するノズル（例えば、両隣のノズル）のインク吐出量を変更させることで、この補完を行う。制御部１４は、この補完設定を不良検出の判定基準レベルに応じた設定として不良ノズル記憶部１４１ａに記憶させる。インク吐出量の変更設定のみでは不良検出の判定基準レベルをクリア出来ないと見込まれる場合には、制御部１４は、画像形成動作を中止させ、操作表示部１５にクリーニング動作やインクジェットヘッドの交換を促す表示を行わせる。そして、制御部１４は、補正設定処理を終了して処理を画像形成処理に戻す。
【００６６】
この補正設定処理において、ノズル開口部からのインク吐出不良が検出された場合に、制御部１４は、ステップＳ１５の判別処理において、当該検出がなされた記録媒体Ｐについてインク吐出不良が検出されたノズルが含まれる領域及びインク色で通常の画像の形成が行われているか否かを判別し、当該領域及びインク色で画像形成が行われていない場合には、不良が検出されていないこととしてステップＳ１６の処理に移行せず、補正設定処理を終了しても良い。
【００６７】
図８は、通常の画像と欠変化チャートの位置関係の例を示す図である。
ＣＭＹＫ各色の欠変化チャートＣ２１〜Ｃ２４が記録媒体Ｐの画像形成可能幅に亘って形成されているのに対し、ここでは、ＣＭＹＫ各色で描画された通常の画像Ｆ２１〜Ｆ２４の描画幅が各々記録媒体Ｐの画像形成可能幅のうち一部のみを占めている。従って、例えば、欠変化チャートＣ２１における欠変化が通常の画像Ｆ２１の描画幅内で検出された場合に、ステップＳ１５の判別処理からステップＳ１６の処理に分岐し、通常の画像Ｆ２１の描画幅から外れた位置で欠変化が検出された場合には、そのまま補正設定処理を終了して処理を画像形成処理に戻す。
【００６８】
［変形例］
図９は、図６に示した補正設定処理のフローチャートの変形例である。
この補正設定処理は、上述の実施形態のインクジェット記録装置１００における補正設定処理のステップＳ１２の処理がステップＳ１２ａ、Ｓ１２ｂに置き換えられた点を除いて同一であり、同一の処理内容には同一の符号を付して説明を省略する。
【００６９】
ステップＳ１１の判別処理で“ＹＥＳ”に分岐すると、制御部１４（ＣＰＵ１４２）は、ハーフトーン画像と共に形成されている通常の画像Ｆの種別の判定を行う（ステップ１２ａ）。また、制御部１４は、通常の画像Ｆの濃度分布を取得する（ステップＳ１２ｂ）。制御部１４は、これらステップＳ１２ａ、Ｓ１２ｂの処理における判定結果や取得データに基づいて、インク吐出不良の検出に係る判定基準レベル（基準値）を設定する（ステップＳ１３）。
【００７０】
このように、この変形例では、インク吐出不良の判定に係る判定基準レベル（基準値）が通常の画像Ｆの種別など、内容に基づいて設定される。例えば、通常の画像Ｆがテキストのみからなる場合には、判定基準レベルを緩く下げて（基準値を大きく）定め、通常の画像Ｆがイメージ画像の場合には、判定基準レベルを厳しく上げて（基準値を小さく）定めることが出来る。また、通常の画像Ｆに含まれるイメージの濃度の高低（濃度分布）に応じて、判定基準レベルを変更することが出来る。濃度の高低は、画像中の濃度の最大値、平均値や中央値などのうち何れか又は組み合わせに基づく指標値などに応じて定められる。
【００７１】
図１０は、本実施形態のインクジェット記録装置１００において設定される判定基準レベルの例を示す図である。
判定基準レベル（基準値）は、ページ内において幅方向の位置に応じて変化させることも可能である。この場合、例えば、出力対象となる通常の画像Ｆについて、予め濃度分布を取得して幅方向の位置に応じた基準値プロファイルを設定しておくことが出来る。濃度の高い部分やイメージ部分では、ノズル欠によるムラやスジが目立ちやすいので判定基準レベルを厳しく上げて（基準値が小さく）設定され、濃度の低い部分やテキストのみの部分では、判定基準レベルを緩く下げて（基準値が大きく）設定される。
【００７２】
このような設定は、出力画像のページ単位などで適宜切り替えて行うことが出来る。また、例えば、バリアブル印刷のように、共通画像に対して各ページで異なる画像が付加される場合にも当該付加される画像に応じてページ単位で基準値プロファイルが変更されても良い。また、バリアブル印刷の終了後、様々な基準レベルで設定された補完データを整理して各位置各基準レベルでの不良ノズル検出や補完設定として利用することが出来る。
【００７３】
また、このような幅方向の位置に応じた判定基準レベル（基準値）の変化は、上述の補正設定処理におけるステップＳ２７の処理にも適用可能である。即ち、不良検出がなされたにも拘らず不良ノズルが特定されなかった場合には、当該不良検出がなされた領域において判定基準レベルを上昇させる設定を行うことが出来る。
【００７４】
以上のように、本実施形態は、複数のノズルの開口部から各々インクを吐出させて記録媒体上に画像を形成するインクジェット記録装置１００であって、制御部１４は、複数のノズルの開口部からインクを吐出させてインクの吐出不良の検査に係るテスト画像である欠変化チャートＣ２１〜Ｃ２４を出力させ、このテスト画像を読み取る画像読取部１３を備え、制御部１４は、読み取られたテスト画像に基づいてノズルの開口部からのインク吐出不良の有無を判別する。このとき、解析部としての制御部１４は、形成対象の通常画像に応じて吐出不良の有無に係る判定基準レベルを変化させる。
即ち、インク吐出不良の検査頻度自体を減らさずに適切な頻度及び適切な対応を可能とする基準で、現在の画像形成にとって画質低下の原因となるインクの吐出不良を検出することが出来る。これにより、より効率良く速やかに適切な画像を形成することが出来る。
【００７５】
また、テスト画像として先ず所定濃度の欠変化チャートＣ２１〜Ｃ２４を出力して、濃度ムラにより吐出不良の有無を先に判定するので、常に不良ノズルを特定するための画像サイズの大きなテスト画像を出力する必要がなく、テスト画像の出力に必要な記録媒体の面積の増大を抑えることが出来る。
【００７６】
また、テスト画像は、所定濃度のハーフトーン画像であるので、容易に濃淡の判定に基づいて新たなノズル欠の発生を検出することが出来る。
【００７７】
また、画像形成制御部としての制御部１４は、記録媒体Ｐ上において通常画像が形成可能に設定された形成領域外にテスト画像を形成させるので、記録媒体Ｐの無駄な消費を発生させず、且つ、当該記録媒体Ｐに形成された通常画像におけるノズル欠の発生を確実に行って適正な画像を取得することが出来る。
【００７８】
また、解析部としての制御部１４は、通常画像に要求される画質に応じて判定基準レベルを変化させるので、プリントジョブのプロパティ設定などに応じて容易に判定基準を定めて適切な画像形成及び不良検出を行うことが出来る。
また、高画質の画像では使用が困難となったレベルの不良ノズルも使用して画像を形成することが出来る場合が生じるので、インクジェット記録装置１００の使用態様に応じて必要以上に行われていたインクジェットヘッドの交換やインク吐出面のクリーニングなどのメンテナンスに係る手間や経費の増加を抑えることが出来る。
【００７９】
また、解析部としての制御部１４は、通常画像の種別に応じて判定基準レベルを変化させるので、出力される画像に応じて問題のない画質の画像が柔軟に取得されると共に、一律に最も厳しい基準で検査が行われる場合と比較してメンテナンスの手間や経費の増加を抑えることが出来る。
【００８０】
また、通常画像の種別には、テキスト及びイメージが含まれる。多少のスジや濃度ムラが存在しても読み取りに問題を生じないテキスト部分と、これらスジや濃度ムラが画質に影響しやすいイメージ部分とで判定基準レベルを分けることで、効率良く全体として的確な画質の画像形成を行うことが出来る。
【００８１】
また、解析部としての制御部１４は、通常画像に係る濃度分布に応じて判定基準レベルを変化させるので、画像間や画像の幅方向位置などに応じて無駄なく均一な画質を得ることが出来る。
【００８２】
また、画像形成制御部としての制御部１４は、テスト画像にインク吐出不良があると判別された場合には、インク吐出不良に係る不良ノズルを特定するための欠位置特定チャートＬを出力させ、解析部としての制御部１４は、画像読取部１３によって読み取られた欠位置特定チャートＬを解析して不良ノズルを特定するので、インクジェットヘッドのノズル数やノズル密度が増えて欠位置特定チャートＬ全体の出力に必要な面積が増大しても、インク吐出不良の検出頻度を落とさずに当該欠位置特定チャートＬの出力頻度を低減させることが出来る。また、不良ノズルを特定するためには、テスト画像でインク吐出不良があると判別された領域に対応する欠位置特定チャートが出力されれば良いので、欠位置特定チャートの出力面積自体を従来よりも小さくすることが出来る。これにより、記録媒体Ｐやインクの消費量を従来よりも効率良く低減させることが出来る。
【００８３】
また、解析部としての制御部１４は、判定基準レベルの変化に応じて不良ノズルの特定基準レベルを変化させる。従って、インク吐出不良が検出されたにも拘わらず不良ノズルが同定出来ないことによる欠位置特定チャートＬの繰返し出力を防いだり、インク吐出不良が検出された際に、画質の維持に必要な数以上の多くの不良ノズルが特定されたりするといった事態の発生を防ぎ、無駄な手間や経費の上昇を抑えながら的確に画質を維持することが出来る。
【００８４】
また、解析部としての制御部１４は、出力させた欠位置特定チャートＬにおいて不良ノズルが特定されなかった場合、判定基準レベルを厳しい方向に変化させてテスト画像における吐出不良の有無を判断することで、欠位置特定チャートＬが繰返し出力される状況が続くことを防ぐことが出来る。また、これにより、その後の欠変化チャートに係る判定基準レベルと欠位置特定チャートＬに係る特定基準レベルとをバランス良く対応させることが出来る。
【００８５】
また、画像形成制御部としての制御部１４は、特定された不良ノズルのインク吐出範囲に係る所定の近接範囲内にあるノズルによるインクの吐出量及び吐出頻度のうち少なくとも何れか一方を調整して、この不良ノズルの影響を補完しながらテスト画像を出力させる。従って、補完設定がなされて当該補完設定に基づいて通常の画像Ｆの画像形成が行われる場合に、当該補完設定に応じたテスト画像を形成することで、出力されている通常の画像Ｆをより正確に反映した判定基準レベルで新たに生じた不良ノズルの検出を行うことが出来る。
【００８６】
なお、本発明は、上記実施の形態に限られるものではなく、様々な変更が可能である。
例えば、上記実施の形態では、不良ノズルに対して補完設定を行う場合について説明したが、不良ノズルの数や配置などに応じてインクジェットヘッド１２のインク吐出面のクリーニングを行う動作が選択されても良い。
【００８７】
また、上記実施の形態では、テスト画像としてハーフトーン画像を用いたが、濃淡変化によりノズル欠けが検出可能なものであればこれに限られない。或いは、ノズル数や記録媒体Ｐにおける余白の大きさなどに応じて部分的に又は常にノズル欠けの検出を行わず、最初からテスト画像として欠位置特定チャートＬを形成して不良ノズルの特定を行う場合にも、本発明を適用することが出来る。欠変化チャートを用いない場合には、欠位置特定チャートＬにおける特定基準レベルは、欠変化チャートの判定基準レベルとは関係なく単独で形成対象の通常画像に応じて設定される。即ち、通常画像がテキスト画像や濃度の低い画像などでノズル欠が目立たないものである場合には、特定基準レベルを緩く下げる（基準濃度からの濃度変化量の基準値、及び基準位置からの着弾位置ずれの基準値を大きくする）方向に変化させ、通常画像が濃度の高い画像やイメージ画像などのノズル欠が目立ちやすいものである場合には、特定基準レベルを厳しく上げる（基準濃度からの濃度変化量の基準値、及び基準位置からの着弾位置のずれの基準値を小さくする）方向に変化させる。
【００８８】
また、上記実施の形態では、テスト画像を必ず余白領域に形成することとしたが、形成される通常の画像Ｆに応じて通常画像の形成領域内に形成されても良い。特に、通常画像Ｆとして他の検査に係る検査画像が出力される場合に同時にテスト画像を形成領域内に形成しても良い。或いは、通常画像と欠位置特定チャートＬとが記録媒体Ｐに対して一枚おきに交互に形成されても良い。
【００８９】
また、上記実施の形態では、テスト画像を幅方向に画像形成可能幅一杯に形成させたが、通常の画像Ｆが幅方向に一部にしか形成されない場合には、当該一部においてのみテスト画像を形成させても良い。
【００９０】
また、上記実施の形態では、画像の種別としてテキスト及びイメージ画像を例に挙げたが、グラフや図形のような線画、ペイントデータや写真データなどをそれぞれ区別しても良い。
【００９１】
また、判定基準レベルや特定基準レベルの設定に要求画質と、画像の種別や濃度分布とを併用しても良い。それぞれの重み付けは適宜設定され得る。また、この場合、一部の設定、例えば、要求画質に応じた判定基準レベルや特定基準レベルの設定や重み付けをユーザーが操作表示部１５への入力操作によって行っても良い。
【００９２】
また、上記実施の形態では、判定基準レベルに連動して特定基準レベルを設定することとしたが、別個に設定されても良い。また、不良検出に応じた不良ノズルの特定に失敗した場合、判定基準レベルを上昇させる代わりに又は加えて特定基準レベルを低下させることも可能である。
【００９３】
また、上記実施の形態では、既に特定された不良ノズルに対する補完設定を行ったテスト画像を出力して不良検出を行ったが、一切補完設定を行わないテスト画像を出力し、前回のテスト画像の撮像データとの差分に基づいて新たな不良検出を行っても良い。
【００９４】
また、上記実施の形態では、ラインヘッドを有するインクジェット記録装置を例に挙げて説明したが、これに限られず、スキャン方式のものであってもインク吐出不良の検出に本発明を適用することが出来る。
その他、上記実施の形態で示した構成、処理内容や手順などの具体的な細部は、本発明の趣旨を逸脱しない範囲において適宜変更可能である。
【符号の説明】
【００９５】
１１   搬送部
１１１ 搬送モーター
１１２ 搬送ベルト
１２   インクジェットヘッド
１２０ ヘッドモジュール
１２１ 駆動回路
１２２ インク吐出部
１３   画像読取部
１３１ イメージセンサー
１４   制御部
１４１ メモリー
１４１ａ      不良ノズル記憶部
１４２ ＣＰＵ
１４３ ＲＯＭ
１４３ａ      テスト画像データ
１４４ ＲＡＭ
１４５ バス
１５   操作表示部
１６   通信部
１００ インクジェット記録装置
Ｃ２１〜Ｃ２４       欠変化チャート
Ｆ     通常の画像
Ｆ２１〜Ｆ２４       通常の画像
Ｌ     欠位置特定チャート
Ｐ     記録媒体
【図１】
0006536049.tif 000002
【図２】
0006536049.tif 000003
【図３】
0006536049.tif 000004
【図４】
0006536049.tif 000005
【図５】
0006536049.tif 000006
【図６】
0006536049.tif 000007
【図７】
0006536049.tif 000008
【図８】
0006536049.tif 000009
【図９】
0006536049.tif 000010
【図１０】
0006536049.tif 000011